(57)【要約】【課題】ワイヤハーネスの分岐部をバンドで結束する。【解決手段】バンド係止孔を有する基部より、係止溝を設けたバンド片を延伸させた樹脂製の結束バンドであって、上記基部より帯状に延伸させている上記バンド片に、湾曲させた巻付部を予め賦形しており、ワイヤハーネスを構成する電線群の分岐位置で上記巻付部を電線群にたすき掛けして巻き付けた後に上記基部の係止孔にバンド片を通して締付係止して分岐部を結束できる形状としている。【選択図】  図３
2005027462.tif 000002
【特許請求の範囲】
【請求項１】
バンドの係止孔を有する基部より、係止溝を設けたバンド片を延伸させた樹脂製の結束バンドであって、
上記基部より帯状に延伸させている上記バンド片に、湾曲させた巻付部を予め賦形しており、ワイヤハーネスを構成する電線群の分岐位置で上記巻付部を電線群にたすき掛けして巻き付けた後に上記基部の係止孔にバンド片を通して締付係止して分岐部を結束できる形状としていることを特徴とするワイヤハーネス用の分岐部結束バンド。
【請求項２】
上記バンド片の巻付部は、基部側から先端へと螺旋状に湾曲させ、１巻きした後に２巻き目でバンド片を基部の係止孔に挿入できる形状としている請求項１に記載のワイヤハーネス用の分岐部結束バンド。
【請求項３】
上記バンド片は、長さ方向の中間部分を湾曲させた後に先端側を基端側にクロスさせて上記巻付部を設けている請求項１に記載の分岐部結束バンド。
【請求項４】
上記バンド片の電線群と接触する内面側にはズレ防止用の突起を設けている請求項１乃至請求項３のいずれか１項に記載のワイヤハーネス用の分岐部結束バンド。
【請求項５】
請求項１乃至請求項４のいずれか１項に記載の分岐部結束バンドを用いてワイヤハーネスの幹線から支線にかけて上記バンド片をたすき掛けして結束しているイヤハーネスの分岐部結束構造。
【請求項６】
請求項１または請求項２に記載の分岐部結束バンドを用いてワイヤハーネスの分岐部を結束する方法であって、
ワイヤハーネス組立台上に立設した布線治具を通して電線群を布線し、該布線治具の軸部上端より分岐する複数の電線保持棒の間を通して幹線より支線を分岐させている電線群に対して、該分岐位置の電線群を上記布線治具から取り出さない状態で、上記バンド片の巻付部を上記幹線側より支線の一方側へと巻き付けた後、該支線の他方側に位置する上記基部の係止孔に向けて、先巻付部分にクロスさせて巻き返して上記係止孔に挿入係止させ、電線群の分岐位置で上記結束バンドをたすき掛けで締結していることを特徴とするワイヤハーネスの分岐部結束方法。
【請求項７】
上記布線治具は軸部上端より等間隔で３本の電線保持棒を突出させたＴ字分岐用あるいは４本の電線保持棒を突出させたＸ字分岐用であって、該布線治具に支持されるＴ字分岐部あるいはＸ字分岐部を上記結束バンドで締結して請求項６に記載のワイヤハーネスの分岐部結束方法。
【発明の詳細な説明】
【０００１】
【発明の属する技術分野】
本発明はワイヤハーネス用の分岐部結束バンド、該バンドによる結束構造および結束方法に関し、結束バンドを分岐部に容易にたすき掛けして結束できるようにするものである。
【０００２】
【従来の技術】
従来、自動車に配索されるワイヤハーネスには幹線から支線が分岐している箇所が多数存在し、この分岐位置がずれないように電線群にテープを巻き付けて結束している。
この分岐部の結束は、図８に示すように、ワイヤハーネス組立作業台１に立設した布線治具に電線群Ｗを支持しながら布線した状態で行っている。これら電線群を結束するため粘着テープＴを巻き付けているが，幹線Ｗ１より支線Ｗ２が分岐する位置では、布線治具２’の主軸２ａ’の上端より分岐して突出する電線支持棒２ｂ’の間に電線群Ｗが挿通している状態では電線支持棒２ｂ’が邪魔となって粘着テープＴを電線群Ｗに巻き付けることができない。そのため、布線治具２’を下降させ、電線群Ｗを布線治具２’より取り出して粘着テープＴを巻き付けている。
【０００３】
上記分岐位置のテープ巻きは、図９に示すように、粘着テープＴを幹線Ｗ１の一方側Ｘに巻き付けた後に、支線Ｗ２の他方側Ｙに斜め傾斜させて巻き付け、続いて幹線Ｗ１側から支線Ｗ２の一方側Ｘへと斜め傾斜させて巻き付け、その後、幹線Ｗ１のＹ側に巻き付け、Ｘ形状にたすき掛けしている。
【０００４】
分岐部におけるテープのたすき掛け作業は熟練を要し、作業者の熟練度合いによってバラツキが発生しやすく、かつ、ワイヤハーネスの分岐位置が多いために作業時間がかかる問題がある。
特に、分岐部にテープを巻き付ける際に電線群を布線治具より取り出すため、テープを巻き付ける分岐位置にずれが発生しやすく、分岐位置精度に問題が生じやすく、ワイヤハーネス組立作業工程において分岐位置の結束は改善すべき課題となっている。
【０００５】
上記テープ巻に代えて、テープ巻きの場合に発生する熟練度を要しない結束バンドを本出願人は実開平６−８４７３６号（特許文献１）および実開平６−６５６８２号（特許文献２）で提供している。
図１０（Ａ）（Ｂ）に示すように、特許文献１のバンド３は基板状のアーム４の中央に、一対のバンド係止孔４ａ、４ａを設けると共に車体係止用クランプ４ｂを突設した基部４ｃを突設し、その両側に一対のバンド５Ａ、５Ｂをスライド自在に嵌合させた構成としている。
上記バンド３は図１０（Ｂ）に示すように、バンド５Ａ、５Ｂを幹線Ｗ１から支線Ｗ２の両側Ｘ、Ｙに巻き付け、一対のバンド係止孔４ａにクロスさせて係止させている。
【０００６】
図１１（Ａ）（Ｂ）に示すように、特許文献２のバンド６は一対の係止孔７ａ、７ａを設けた基部７より広幅のバンド８を延伸させ、該バンド８を途中から二股に分岐させて一対のバンド部８ａ、８ａを設けている。
上記バンド６は図１１（Ｂ）に示すように、バンド部８ａ、８ｂを広げて支線Ｗ２の両側に巻き付けた後に幹線Ｗ１上に位置させている係止孔７ａ、７ａに挿入係止している。
【０００７】
【特許文献１】
実開平６−８４７３６号
【０００８】
【特許文献２】
実開平６−６５６８２号
【０００９】
【発明が解決しようとする課題】
特許文献１、２のバンド３、６はいずれも２つのバンド片を設けてそれぞれ幹線Ｗ１側から支線Ｗ２の両側に巻き付けた後に、夫々別の係止孔に通し、一方のバンドを締結した後に他方のバンドを締結しているため、バンドの締結作業を２度行う必要があり、作業手数がかかる問題がある。
【００１０】
また、特許文献１のバンド３では、バンド５Ａ、５Ｂの締結力が相違すると、支線Ｗ２が幹線Ｗ１から特定方向に傾斜した向きになる恐れがあると共に、アーム４に対してバンド５Ａ，５Ｂが基部３ｃ側に移動すると結束力が低下し、かつ分岐位置がずれる恐れもある。
特許文献２のバンド６も、広幅なバンド８からバンド部８ａ、８ａを分岐させているが、支線Ｗ２が大径の場合、成形時のバンド部８ａ、８ａの離反角度よりも更に無理に広げて電線群に巻き付ける必要があると共に、この無理に広げたバンド部を再度近接させて係止孔に挿入する必要がある。そのため、バンド部８ａ、８ａは電線群に沿わせて巻き付けにくくなり、電線群との間に隙間が発生しやすく締結力が弱くなり、その結果、分岐位置精度が出にくい問題がある。
【００１１】
本発明は上記した問題に鑑みてなされたもので、分岐位置の電線群に沿わせてたすき掛けで巻き付けて締結しやすい分岐部結束バンド、該バンドを用いた結束方法、および結束構造を提供することを課題としている。
【００１２】
【課題を解決するための手段】
上記課題を解決するため、本発明は、第一に、バンドの係止孔を有する基部より、係止溝を設けたバンド片を延伸させた樹脂製の結束バンドであって、
上記基部より帯状に延伸させている上記バンド片に、湾曲させた巻付部を予め賦形しており、ワイヤハーネスを構成する電線群の分岐位置で上記巻付部を電線群にたすき掛けして巻き付けた後に上記基部の係止孔にバンド片を通して締付係止して分岐部を結束できる形状としていることを特徴とするワイヤハーネス用の分岐部結束バンドを提供している。
【００１３】
本発明の分岐結束用のバンドは、前記特許文献１、２に開示された２本のバンド片を有する形状とせず、係止孔を設けた基部より１本のバンド片を延伸させ、この１本のバンド片を予め巻付部を有する形状に賦形し、分岐位置に取り付けると幹線から支線へと巻き付き、たすき掛けでバンド片を基部の係止孔に挿入しやすくしている。このように、予め巻き癖せをつけているため、バンド片を幹線および支線の外周面に沿って密着させた状態で結束でき、分岐位置精度を挙げることができると共に、熟練を必要とせず、分岐部の結束にバラツキを発生させない。また、細いバンド片を電線群の外周に沿わせ、布線治具で支持された電線群の下周面にバンド片をくぐらせて引き出すだけであるため、布線治具から電線群を取り出すことなく分岐部を結束することができ、分岐位置精度を高めることができる。
【００１４】
上記バンド片に賦形する湾曲状の巻付部は、基部から直線状に延伸させてバンド片を一体成形した後に、該バンド片を加熱して軟化させた状態で、例えば、棒状体に巻き付け、この状態で硬化させて上記湾曲した巻付部を賦形している。
【００１５】
具体的には、上記バンド片の巻付部は、基部側から先端へと螺旋状に湾曲させ、１巻きした後に２巻き目でバンド片を基部の係止孔に挿入できる形状としている。  上記のように巻付部を設けておくと、幹線側から支線の一方側へと１巻きした後に、支線の他方側に位置する基部に対してバンド片の先端を挿入するとバンド片はたすき掛け状態で幹線から支線へと巻き付けられて、分岐部の結束を容易に行うことができる。
【００１６】
あるいは、上記バンド片は、長さ方向の中間部分を湾曲させた後に先端側を基端側にクロスさせて上記巻付部を設けている。
上記バンド片では、湾曲部分を支線の下面側に配置して、その両側を幹線の上面側にそれぞれ巻き付けた後に支線の両側に引き出し、この引き出した両側を支線の上面側で係止することで、分岐の結束を容易に行うことができる。
【００１７】
上記バンド片の電線群と接触する内面側に鋸歯状の係止溝を備えている。また、この内面側にズレ防止用の突起を設けていることが好ましい。このようにバンド片からズレ防止用の突起を設けると、該突起が電線群の隙間に入ってバンドの位置ずれ発生を防止することができる。
【００１８】
なお、上記基部の外面に車体係止用のクランプを一体成形あるいは取付自在として設けてもよい。
【００１９】
本発明は、第二に、上記分岐部結束バンドを用いてワイヤハーネスの幹線から支線にかけて上記バンド片をたすき掛けして結束しているイヤハーネスの分岐部結束構造を提供している。
上記のようにバンドにより分岐部を強固に締結して結束しておくと、ワイヤハーネスの配索作業時においても分岐位置がずれることはなく、配索作業性を高めることができる。
【００２０】
本発明は、第三に、上記上記分岐部結束バンドを用いてワイヤハーネスの分岐部を結束する方法を提供しており、該方法は、
ワイヤハーネス組立台上に立設した布線治具を通して電線群を布線し、該布線治具の軸部上端より分岐する複数の電線保持棒の間を通して幹線より支線を分岐させている電線群に対して、該分岐位置の電線群を上記布線治具から取り出さない状態で、上記バンド片の巻付部を上記幹線側より支線の一方側へと巻き付けた後、該支線の他方側に位置する上記基部の係止孔に向けて、先巻付部分にクロスさせて巻き返して上記係止孔に挿入係止させ、電線群の分岐位置で上記結束バンドをたすき掛けで締結していることを特徴としている。
【００２１】
上記布線治具は軸部上端より等間隔で３本の電線保持棒を突出させたＴ字分岐用あるいは４本の電線保持棒を突出させたＸ字分岐用であって、該布線治具に支持されるＴ字分岐部あるいはＸ字分岐部を上記結束バンドで締結して上記布線治具は軸部上端より等間隔で３本の電線保持棒を突出させたＴ字分岐用であって、該布線治具で支持された上記幹線より１本の支線が分岐するＴ字分岐部を上記結束バンドで締結している。
【００２２】
上記のように、電線群に巻き付くように巻き癖をつけていると共にバンド片は細幅であるため、電線群を布線治具に支持された状態のままで、電線群の下面をくぐらせて電線群に巻き付けことが容易にできる。よって、電線群を布線治具から取り出してテープ・コイルからテープを引き出しながら巻き付けている従来の結束方法と比較して、分岐部の結束が容易にでき、かつ、分岐位置精度も高めることができる。
【００２３】
【発明の実施の形態】
以下、本発明の実施形態を図面を参照して説明する。
図１乃至図３は第１実施形態を示す。
図１に示すように、分岐部結束バンド１０（以下、バンド１０と略称する）は樹脂成型品からなり、本実施形態ではポリプロピレンで形成している。バンド１０はボックス状の基部１１からバンド片１２を延伸させ、基部１１に貫通させて係止孔１１ａの内部に突設した係止片１１ｂを係止孔１１ａに挿通するバンド片１２の設けた係止溝１２ａに所要位置で係止するようにしている。
【００２４】
バンド片１２は細帯状で基部１１との連結側から先端にかけて螺旋状に湾曲させて、半周状の第１巻付部１２ｂと第２巻付１２ｃとを連続させ、全体として１回巻き部分の両側に湾曲した基部側部１２ｄと先端側部１２ｅが連続する形状としている。このバンド片１２は、加熱して軟化させた状態で棒状体に巻き付け、その後、冷却して上記螺旋状に賦形している。
【００２５】
図２に示すようにワイヤハーネス組立作業台１上で布線している電線群は布線治具２の立設位置で幹線Ｗ１から芯線Ｗ２が分岐するＴ字分岐部ＷＴとなっている。２０を結束している。
上記布線治具２は、主軸２ａの上端より１２０゜間隔で電線支持棒２ｂー１、２ｂー２、２ｂー３を突出させたＴ字分岐用の布線治具２を立設している。該布線治具２の電線支持棒２ｂー１と２ｂー２および２ｂー３の間を通して幹線Ｗ１の電線群を直線状に布線し、電線支持棒２ｂー２と２ｂー３の間を通して支線Ｗ２を布線している。
【００２６】
上記Ｔ字分岐部ＷＴは上記バンド１０で図３に示すように結束している。図３（Ａ）に示すように、支線Ｗ２を挟む幹線Ｗ１の一方側をＸ側、他方側をＹ側とすると、まず、ハンド片１２を伸ばした状態で、幹線Ｗ１のＸ側に基部１１を押し当てる。この状態でバンド片１２は支線Ｗ２のＹ側を通って幹線Ｗ１のＹ側に巻き付いて下方へ引き出される。かつ、バンド片方１２は巻き癖をつけているため、図３（Ｂ）に示すように、基部１１の押し当てを解くと、バンド片１２は幹線Ｗ１のＸ側で下向きに巻き付いた後に支線Ｗ２のＸ側に引き出される。この状態で、第１巻付部１２ｂは支線Ｗ２のＸ側で幹線Ｗ１の下周面に巻き付け、第２巻付部１２ｃは支線Ｗ２のＹ側で幹線１の上周面に巻き付く。ついで、図３（Ｃ）に示すように、Ｙ側に位置するバンド片１２の先端側部１２ｅを基部１１が位置するＸ側へと曲げて、先巻き付け部分にクロスさせ、Ｘ側に位置する基部１１へと引っ張る。このようにバンド片１２を引っ張りながら基部１１の係止孔１１ａに通し、所定位置で係止片１１ｂをバンド片１２の係止溝１２ａに係止すると図３（Ｄ）に示す状態となり、幹線Ｗ１より支線Ｗ２が分岐する状態で電線群は結束される。
【００２７】
上記バンド１０による結束時、バンド片１２は布線治具２の主軸２ａ上に位置する電線群Ｗの下周面側にはバンド片１２をくぐらせることなく、電線支持軸２ｂ−１と２ｂ−２の間と、２ｂ−１と２ｂ−３の間でバンド片１２が幹線Ｗ１のＸ側とＹ側で巻き付くため、布線治具２から電線群を取り出す必要もない。
また、巻き付け状態でバンド片１２を基部１１の係止孔１１ａに挿入して引っ張るだけで、バンド片１２がたすき掛け状態で係止できる。よって、結束作業に熟練を要せず、均一な締結力で結束でき、分岐位置がずれることもなく、分岐部の結束を精度良く行うことができる。
【００２８】
図４は上記バンド１０を用いてＸ字分岐部を結束している方法を示す。
電線群はＸ字分岐分ＷＸでＸ字分岐用布線治具２で支持し、主軸の上端から４本の電線保持棒２ｂ−１、２ｂ−２、２ｂ−３、２−４を突出させ、幹線Ｗ１を電線保持棒２ｂ−１と２ｂ−２の間から２ｂ−３と２ｂ−４の間を通す一方、該幹線Ｗ１に直交する方向に、電線保持棒２ｂ−２と２ｂ−３の間を通して支線Ｗ２−１を分岐させ、電線保持棒２ｂ−３と２ｂ−１の間を通して支線Ｗ２−２を分岐させている。
【００２９】
上記Ｘ字分岐部ＷＸの電線群に対して、バンド１０の基部１１を幹線Ｗ１のＸ側に配置して支線Ｗ２−１のＹ側を通した後、幹線Ｗ１のＹ側の下方を通して支線Ｗ２−２のＹ側に引き出す。幹線Ｗ１のＸ側ではバンド１０の巻き癖により基部１１は幹線１のＸ側で下側に巻き付いた後に支線Ｗ２−１のＸ側に引き出された状態となる（図４（Ｂ））。この状態で、幹線Ｗ１の分岐位置の上面側で、支線Ｗ２−１のＸ側に位置する基部１１と支線Ｗ２−２のＹ側に位置するバンド片１２の先端とを幹線Ｗ１の分岐位置上面に引っ張ってきて、基部１１の係止孔１１ａにバンド片１２の先端をとおして締め付け係止している（図４（Ｃ））。
これにより、Ｘ字分岐部ＷＸもバンド１０によりたすき掛けで結束できる。
【００３０】
なお、図５（Ａ）に示すように、バンド片１２’を大きな１つの湾曲だけとしても、バンド片１２’は巻き付け方向に矯正されているため、前記図３に示す分岐位置でのたすき掛けの結束を容易に行うことができる。
また、図５（Ｂ）に示すように、バンド片１２”の係止溝１２ａ”を設けた内面側には、係止溝１２ａ”の側縁にズレ防止用の突起１２ｆ”を突設し、該突起１２ｆ”を電線群の隙間に差し込むことで、電線群に対するバンド片１２”の位置ずれを防止することができる。
【００３１】
図６および図７は第２実施形態を示す。
第２実施形態のバンド２０は、第１実施形態のバンド１０と同様に、基部２１から１本のバンド片２２を直線状に延伸させて一体成形した後に、バンド２２の巻付部２２ａを賦形している。
【００３２】
上記巻付部２２ａはバンド片２２の長さ方向の基部２１側に折り返す方向に向けて湾曲させ、かつ、その両側部２２ｂと２２ｃとをクロスさせ、バンド先端側の側部２２ｃが基部２１に連続する側部２２ｂに向かうようにしている。
【００３３】
上記バンド２２は図７（Ａ）に示すように、両側部２２ｂと２２ｃのクロスを解くように引っ張った状態として、図７（Ｂ）に示すように、半周状の巻付部２２ａを支線Ｗ２の下面側をくぐらせ、両側部２２ｂと２２ｃを幹線Ｗ１のＸ側とＹ側の両側で幹線Ｗ１の上面側に位置させる、その状態から両側部２２ｂと２２ｃを幹線Ｗ１のＸ側とＹ側とに下向きで巻き付けて、それぞれ幹線Ｗ１の下周面をくぐらせて支線ｗ２のＸ側とＹ側に引き出す。図７（Ｃ）に示すように、引き出された両側部２２ｂと２２ｃとを支線Ｗ２を挟むようにして、側部２２ｂの先端の基部２１に先端側部２２ｃを挿入係止している。
【００３４】
上記バンド２０を用いた場合も、布線治具２から電線群を取り外すことなくバンド２０を幹線Ｗ１および支線Ｗ２に巻き付けて締結係止してＴ字分岐の結束を行うことができる。かつ、バンド２０は電線群に巻き付けられる形状に予め賦形しているため、電線群の外周面に密着した状態で巻き付けすることができる。
【００３５】
【発明の効果】
以上の説明より明らかなように、本発明によれば、分岐部結束バンドに予め分岐する電線にたすき掛けされるように湾曲させた巻付部を賦形しているため、熟練を要せずに、簡単かつ短時間に分岐部のたすき掛け結束を行うことができる。特に、前記特許文献１、２と異なり、バンド片は１本で、係止爪との締結は１カ所のみでよく、その結果、分岐部の結束の精度が高まると共にバラツキが発生せず、かつ、ワイヤハーネス組み立ての生産性をあげることができる。
【図面の簡単な説明】
【図１】本発明の第１実施形態の分岐部結束バンドを示し、（Ａ）は正面側から見た斜視図、（Ｂ）は（Ａ）の側面側から見た斜視図である。
【図２】ワイヤハーネス組立作業台上で布線治具で支持されたＴ字分岐部を示す斜視図である。
【図３】（Ａ）〜（Ｄ）は分岐部結束バンドによりＴ字分岐部を結束する方法を示す斜視図である。
【図４】（Ａ）〜（Ｃ）は分岐部結束バンドによりＸ字分岐部に結束する方法を示す斜視図である。
【図５】（Ａ）（Ｂ）は変形例を示す図面である。
【図６】第２実施形態の分岐部結束バンドの斜視図である。
【図７】（Ａ）〜（Ｃ）は結束方法を示す斜視図である。
【図８】従来のテープ巻きの結束方法を示す図面である。
【図９】分岐部におけるテープのたすき掛けを示す図面である。
【図１０】（Ａ）（Ｂ）は従来例を示す図面である。
【図１１】（Ａ）（Ｂ）は他の従来例を示す図面である。
【符号の説明】
１  ワイヤハーネス組立作業台
２  布線治具
２ａ  主軸
２ｂ  電線支持棒
１０、２０  分岐部結束バンド
１１、２１  基部
１２、２２  バンド片
１２ｂ、１２ｃ、２２ａ  巻付部
Ｗ１  幹線
Ｗ２  支線
ＷＴ  Ｔ字分岐部
ＷＸ  Ｘ字分岐部
【図１】
2005027462.tif 000003
【図２】
2005027462.tif 000004
【図３】
2005027462.tif 000005
【図４】
2005027462.tif 000006
【図５】
2005027462.tif 000007
【図６】
2005027462.tif 000008
【図７】
2005027462.tif 000009
【図８】
2005027462.tif 000010
【図９】
2005027462.tif 000011
【図１０】
2005027462.tif 000012
【図１１】
2005027462.tif 000013